(57)【特許請求の範囲】
【請求項１】
鼻隠板（８２）の前面にレベルランナー（６０）が取り付けられ、このレベルランナー（６０）に沿って複数の軒樋支持具（７０）が取り付けられ、これら樋支持具（７０）間に軒樋（５０）が架設され、この軒樋（５０）の前面側を被覆するようにして軒先に取り付けられる化粧パネル（１）において、
樋前面（５２）を被覆するパネル前面（２）と樋底面（５１）を被覆するパネル底面（３）からなり、
前記パネル前面（２）は、その上部を内向きに折曲して上部内向き部（４）を形成し、この上部内向き部（４）に段差部を設けてこの段差部（１２）の内側部を一段低い水受面部（１３）とするとともに、この水受面部（１３）の内側端縁を下向き折曲して水切面部（５）を設けてなり、
前記パネル底面（３）は、その底面後端部（３ａ）に上方へ折曲した起立面部（９）を設けるとともに、先端を下向き鉤状に曲がった係止部（１０ｃ）として起立面部（９）から前方へ張出させた掛止部（６）を設けてなり、
化粧パネル（１）を軒樋支持具（７０）の前面側に被せ、パネル前面（２）の水切面部（５）を軒樋支持具（７０）内に挿入して引っ掛けておき、パネル底面（３）を軒樋支持具（７０）の下方に回してその係止部（１０ｃ）の先端を、レベルランナー（６０）の下端後側に設けた掛止受片部（６３）に掛止させることにより、化粧パネル（２）が前後方向へ移動可能として仮止めされるように構成されたことを特徴とする化粧パネル。
【発明の詳細な説明】
【０００１】
【発明の属する技術分野】
本発明は、軒樋の前面側を被覆する化粧パネルに関する。
【０００２】
【従来の技術】
従来の化粧パネルの中には、図４に示すように、樋前面５２の前方において立ち上がったパネル前面１０１（屋外から軒先を見たときの前面）の上部を樋内方上向きに折曲して上向き上面部１０２、更にこの内側に続いて水平上面部１０３を形成し、この水平上面部１０３の内側縁に金属製の水切材１０５を略垂直下向きに装着して、屋根葺材８０上を流下してきた雨水をこの水切材１０５で受けて樋５０内に案内するように構成された化粧パネル１００があった。
【０００３】
【発明が解決しようとする課題】
しかし、このような化粧パネル１００では、水平上面部１０３上に降った雨水が上向き上面部１０２及びパネル前面１０１の外面を伝って軒下に滴下し、雨垂れ現象を生じさせる原因となることがある。また、雨量が多くなって屋根葺材８０上を流下してくる雨水の勢いが増すと、水切材１０３に衝突して水平上面部１０２上に飛散したり、水平上面部１０２上に直接落下したりするようになり、軒下への雨垂れは一層ひどくなる。
【０００４】
そこで本発明は、このような問題点に着眼し、外観の良好性を維持しつつ、雨垂れを生じさせない化粧パネルを提供せんとするものである。
【０００５】
【課題を解決するための手段】
上記課題を解決するために、本発明は、鼻隠板の前面にレベルランナーが取り付けられ、このレベルランナーに沿って複数の軒樋支持具が取り付けられ、これら樋支持具間に軒樋が架設され、この軒樋の前面側を被覆するようにして軒先に取り付けられる化粧パネルにおいて、樋前面を被覆するパネル前面と樋底面を被覆するパネル底面からなり、前記パネル前面は、その上部を内向きに折曲して上部内向き部を形成し、この上部内向き部に段差部を設けてこの段差部の内側部を一段低い水受面部とするとともに、この水受面部の内側端縁を下向き折曲して水切面部を設けてなり、前記パネル底面は、その底面後端部に上方へ折曲した起立面部を設けるとともに、先端を下向き鉤状に曲がった係止部として起立面部から前方へ張出させた掛止部を設けてなり、化粧パネルを軒樋支持具の前面側に被せ、パネル前面の水切面部を軒樋支持具内に挿入して引っ掛けておき、パネル底面を軒樋支持具の下方に回してその係止部の先端を、レベルランナーの下端後側に設けた掛止受片部に掛止させることにより、化粧パネルが前後方向へ移動可能として仮止めされるように構成した。
【０００６】
このような構成を有する化粧パネルによれば、上部内向き部における段差部の外側の面積を小さくすることができ、しかも、少なくとも段差部内側の水受面部上に降った雨水は確実に軒樋内に案内することができるから、従来の化粧パネルに比べて軒下への雨垂れを確実に少なくすることができる。更に、段差部及び水受面部が受水部兼樋への案内部として機能するから、たとえ雨量が多くなって屋根葺材上を流下してくる雨水の勢いが増して、水切面部に衝突した雨水が外側に飛散するようになっても、樋を飛び越えて外側に落下するようになっても、これら段差部及び水受面部で受け止めて樋内に案内することができるから、この点でも軒下への雨垂れ防止に効果を発揮する。更に、本発明の化粧パネルは、水切面部とパネル本体とを一体に形成するものであるから、継ぎ目もなく、錆びるおそれもない。
【０００７】
【発明の実施の形態】
以下、本発明の実施形態を一実施例に基づいて説明する。
【０００８】
化粧パネル１は、図１に示すように、軒樋５０及びこの軒樋５０を支持する軒樋支持具７０の前面側及び底面側を被覆する化粧パネルとして形成してある。そこで、化粧パネル１の構成を説明する前に軒樋５０及び軒樋支持具７０の構成から説明する。
【０００９】
軒樋５０は、合成樹脂製であって、樋底面５１と、この樋底面５１の両側から立ちあがった樋前面５２及び樋後面５３と、これら樋前面５２及び樋後面５３の上縁部にそれぞれ形成してなる樋耳５４，５５とを有するように形成してある。
軒樋支持具７０は、金属製の板材を板金加工して形成してあり、適宜巾を有する水平面部としての底壁部７１と、この底壁部７１の両側から立ちあがった後壁部７２及び前壁部７３と、この前壁部７３の上端部を後方に折曲してなる水平面を有する水平壁部７４と、後壁部７２の上端部を前方に折曲してなる水平面を有する水平壁部７５と、これら壁部７１、７２，７３，７４及び７５に囲まれた内部にこれら壁部と直交する垂直面７６ａを立設し、この垂直面７６ａの上部内に上記軒樋５０の樋底面５１、樋前面５２、樋後面５３及び樋耳５４，５５を嵌合し得る輪郭を有する溝部７６ｂを形成し、さらにこの溝部７６ｂの底面から水平支持面７６ｃを架設方向に張出してなる支持受け部７６とを有するように構成してある。
【００１０】
化粧パネル１は、金属製の薄板材を板金加工して形成したものであり、図１及び図２に示すように、軒樋５０の樋前面５２の前方において立ち上がったパネル前面２と、軒樋５０の樋底面５１を下方から被覆するパネル底面３と、前記前面上部を内向き（樋内側）に折曲してなる上部内向き部４と、この上部内向き部４内側端縁を下向き折曲してなる水切面部５と、パネル底面３の後端部に形成してなる掛止部６とを有するように長尺に形成してある。
【００１１】
パネル前面２は、上下中間部位に長手方向に沿って凹溝部７を設け、この凹溝部７の底面７ａを樋支持具７０の前壁部７３に当接し、パネル前面２の他の部分は前壁部７３には当接させないように形成してある。
【００１２】
パネル底面３は、図１に示すように取付け状態において底面後端部３ａが軒樋支持具７０の後壁部７２より後方に突出し得る内外巾を有し、内外中間部位には長手方向に沿って上向き突出してなる凸溝部８を設け、この凸溝部８の上面８ａを樋支持具７０の底壁部７１に当接し、パネル底面３の他の部分は底壁部７１には当接させないように形成すると共に、底面後端部３ａを垂直に立ち上げて起立面部９を形成し、この起立面部９に掛止爪部１０を固着して掛止部６を形成してある。
ここで、掛止爪部１０は、前記起立面部９に当接し固着する垂直面部１０ａの上下一側を水平に折曲して水平支持面１０ｂを形成し、更にこの水平支持面１０ｂの先端縁部を下向きに折り返して断面鉤状を呈する係止部１０ｃを形成して構成してあり、垂直面部１０ａを前記起立面部９にビス止めして水平支持面１０ｂを前方に張出させてある。
【００１３】
上部内向き部４は、上記パネル前面２の上端部を樋内側に向かって折曲して上向き面１１を形成し、この上向き面１１の内側縁部を垂下させて段差部１２を設け、この段差部１２の内側部を上向き面１１よりも一段低い水受面部１３とし、この水受面部１３の内側端縁をほぼ垂直下向きに折曲し、この下端縁部を外側に折り返して鉤状断面からなる折り返し縁部５ａとして水切面部５を形成してある。
【００１４】
次に、化粧パネル１の取付け構造について説明するが、この化粧パネル１はレベルランナー６０を使用して好適に取り付けることができるから、先ずこのレベルランナー６０について説明する。
【００１５】
レベルランナ−６０は、図１及び図３に示すように、鼻隠板８２の前面に沿って長尺な固着面６１を備え、この固着面６１の上端縁部を前側下向きに折り返して屋根基礎材８１の軒先突出部分の下面に当接し得る当接片部６２を形成する一方、固着面６１の下端縁部を後側水平に折曲して水平面部６３ａを形成し、この水平面部６３ａの後端縁部を立ち上げて起立縁部６３ｂとし、掛止受片部６３を形成すると共に、固着面６１の下端部から所定巾上側部位において支持片部６４を前方に張設して形成してある。
【００１６】
このレベルランナ−６０は、当接片６２を屋根基礎材８１の軒先突出部分の下面に当接させると共に、固着面６１を鼻隠板８２の前面に当接させてこの固着面６１に釘等の固着金具９０，９０を打ちこんで固定する。この際、当接片６２を屋根基礎材８１の下面に当接させることで、レベルランナ−６０のレベルを決定することができる。また、掛止受片部６３と鼻隠板８２の下面を被覆する垂木材８３との間には隙間が形成される。
【００１７】
上記の如く取付けたレベルランナー６０の支持片部６４上に軒樋支持具７０の底壁部７１を載せると共に後壁部７２を固着面６１に当接し、該後壁部７２にリベットやビスなどの固着金具を打ち込んで軒樋支持具７０を取付け固定する。このようにして水平方向に適宜間隔をおいて複数の軒樋支持具７０、７０、・・を取付ける。この際、レベルランナー６０の支持片部６４上に軒樋支持具７０の底壁部７１を載せることで、軒樋支持具７０、７０、・・を所定のレベルに揃えて取付けることができる。
そしてこれら軒樋支持具７０、７０、・・の各支持受け部７６の溝部７６ｂ内に軒樋５０の樋底面５１、樋前面５２、樋後面５３及び樋耳５４，５５を嵌入するように軒樋５０を架設する。
【００１８】
次に、化粧パネル１を軒樋支持具７０、７０、・・に対して前面側から被せて、化粧パネル１の水切面部５を溝部７５内に挿入させると共に、水受面部１３を水平壁部７４に載せるようにして、前面上側を軒樋支持具７０、７０、・・に引っ掛けておいて、パネル底面３を下方を回して後方に引っ張り、掛止爪部１０の先端部（係止部１０ｃ）をレベルランナ−６０の掛止受片部６３と垂木材８３との隙間に後方から進入させ、掛止受片部６３上の起立縁部６３ｂ内に掛止爪部１０を配置させる。これにより、起立縁部６３ｂと係止部１０ｃとの係合によって掛止爪部１０が掛止受片部６３から抜け出ることはないから、化粧パネル１を前後左右に移動可能に仮止めすることができる。
【００１９】
そして、このように化粧パネル１を仮止めしたら、化粧パネル１を前後左右に褶動させて位置調整を行ない、化粧パネル１が位置決めできたら、図１に示すように、凹溝部７の底面７ａ、凸溝部８の上面８ａ、及び水受面部１３にビスなどの固着金具９０を打ち込んで化粧パネル１を固定すればよい。
【００２０】
このようにして化粧パネル１を装着した軒先構造においては、図１に示すように、屋根葺材８０先端部の軒樋５０を挟んだ対向側に受水部兼樋への案内部として機能する段差部１２及び水受面部１３を配設することができるから、水受面部１３上に降った雨水を水切面部５を伝わせて確実に軒樋５０内に案内することができる。更に、台風などの影響で屋根葺材８０上を流下してくる雨水が勢いを増して軒樋５０を飛び越えるものが出てきても、又、水切面部５に衝突して外側に飛散するようになっても、これらの雨水を段差部１２及び水受面部１３で受け止めて軒樋５０内に案内することができる。しかも、この化粧パネル１においては、段差部１２の外側すなわち上向き面１１の面積を、従来の化粧パネルにおける上部内向き部の面積よりも狭くすることができるから、この点でも上部内向き部４上に降った雨水のうちパネル前面２側に伝わる雨水の量を少なくすることができるようになっている。
【００２１】
また、化粧パネル１は、従来別体であった化粧パネル本体（２，３，４）と水切面部５とを一体に形成してあるから、継ぎ目も当然になく、この継ぎ目から水切面部が錆びるおそれもない。
【図面の簡単な説明】
【図１】本発明の一実施例に係る化粧パネルを装着した軒先部分の構成例を示した断面図である。
【図２】図１の化粧パネルの斜視図である。
【図３】図１の軒先部分を構成する部材（軒樋除く）を分解状態として示した斜視図である。
【図４】従来の化粧パネルを装着した軒先部分の構成例を示した断面図である。
【符号の説明】
１  化粧パネル
２  パネル前面
３  パネル底面
４  上部内向き部
５  水切面部
６  掛止部
７  凹溝部
８  凸溝部
９  起立面部
１０  掛止爪部
１１  上向き面
１２  段差部
１３  水受面部
５０  軒樋
５１  樋底面
５２  樋前面
５３  樋後面
５４、５５  樋耳
６０  レベルランナ−
６１  固着面
６２  当接片部
６３  掛止受片部
６４  支持片部
７０  軒樋支持具
７１  底壁部
７２  後壁部
７３  前壁部
７４  水平壁部
７５  水平壁部
７６  支持受け部
８０  屋根葺材
８１  屋根基礎材
８２  鼻隠板
８３  垂木材
９０  固着金具
【図４】
0003869179.tif 000002
【図１】
0003869179.tif 000003
【図２】
0003869179.tif 000004
【図３】
0003869179.tif 000005